(57)【要約】      （修正有）【課題】側面窓を介してキャビン外部と容易に会話ができるとともに、外部状況を自分の耳でも把握しやすくでき、通気性や開放感も充分に得ることができ、しかも、既存のキャビンに低コストで容易に適用できるスピードスプレーヤ用キャビンの窓構造を提供する。【解決手段】キャビン１２を画成するカバーパネル３２の側面窓用開口部３５に固着された窓ガラス４０に、小窓用開口部４５が形成され、該小窓用開口部４５を開閉すべく開閉窓部材６０を有する開閉小窓５０が設けられ、この開閉小窓５０は、前記窓ガラス４０の外面側における前記小窓用開口部４５の端縁部周りを覆うように配在された枠状支持板５２と、該枠状支持板５２に取り付けられたヒンジ部材５４と、前記枠状支持板に前記ヒンジ部材を介して回動可能に取り付けられた開閉窓部材６０と、を備える。前記支持板は、前記窓ガラスに、間に弾性緩衝部材６１が締め付け固定される。【選択図】  図２
2005059728.tif 000002
【特許請求の範囲】
【請求項１】
キャビン（１２）を画成するカバーパネル（３２）の側面窓用開口部（３５）に固着された窓ガラス（４０）に、小窓用開口部（４５）が形成され、該小窓用開口部（４５）を開閉すべく開閉窓部材（６０）を有する開閉小窓（５０）が設けられていることを特徴とするスピードスプレーヤ用キャビンの窓構造。
【請求項２】
前記開閉窓部材（６０）は、ヒンジ部材（５４、５４’）及び又は支持板（５２、８２）を介して前記窓ガラス（４０）に回動自在に取り付けられていることを特徴とする請求項１に記載の窓構造。
【請求項３】
前記開閉小窓（５０）は、前記窓ガラス（４０）の外面側における前記小窓用開口部（４５）の端縁部周りを覆うように配在された枠状支持板（５２）と、該枠状支持板（５２）に取り付けられたヒンジ部材（５４）と、前記枠状支持板（５２）に前記ヒンジ部材（５４）を介して回動可能に取り付けられた前記開閉窓部材（６０）と、を備えていることを特徴とする請求項１又は２に記載の窓構造。
【請求項４】
前記ヒンジ部材（５４’）の固定側半体（５４ａ’）又は前記支持板（５２、８２）は、前記窓ガラス（４０）に、間に弾性緩衝部材（６１、９１）を介して、ボルト（５６、８６）・ナット（５７、８７）類で締め付け固定されていることを特徴とする請求項２又は３に記載の窓構造。
【請求項５】
前記ヒンジ部材（５４、５４’）の可動側半体（５４ｃ、５４ｃ’）は、前記開閉窓部材（６０）に、間に弾性緩衝部材（７３）を介して、ボルト（７１）・ナット（７２）類で締め付け固定されていることを特徴とする請求項２から４のいずれか一項に記載の窓構造。
【請求項６】
前記枠状支持板（５２）の内周端縁部全周又は前記小窓用開口部（４５）の開口端縁部全周に、前記開閉窓部材（６０）の内面側が圧接せしめられる、ゴム等からなる環状のパッキン材（６７、６７’）が配設されていることを特徴とする請求項１から５のいずれか一項に記載の窓構造。
【発明の詳細な説明】
【技術分野】
【０００１】
本発明は、スピードスプレーヤ用キャビンの窓構造に係り、特に、側面窓を介してキャビン外部と会話ができるとともに、外部状況を把握しやすくでき、通気性や開放感も充分に得ることができるようにされた窓構造に関する。
【背景技術】
【０００２】
果樹園等の防除作業を行う従来周知の構成のスピードスプレーヤにおいて、作業者の薬剤被曝を防止するために備えられたキャビンを画成するカバーパネルは、樹間走行中に枝や果実に傷を付けないようにするため、丸みを持たせる必要があるとともに、薬液等に対する耐食性が求められるので、通常、型や加工コストが比較的安くて済み、かつ、耐食性に優れるＦＲＰ等の合成樹脂製となっている。このように、キャビンに合成樹脂製のカバーリングが施された従来のスピードスプレーヤにおいては、前記カバーパネルに側面窓用開口部が形成され、この側面窓用開口部に窓ガラスが、所謂はめ殺しで固着されているのが普通であり、窓ガラスは開閉することができないようになっている。
【０００３】
これは、前記カバーパネルが合成樹脂製のため、剛性が足りず、撓み易いので、窓部分のシール性を確保するためには、窓ガラスを前記カバーパネルの側面窓用開口部にゴムグロメット等を介して直接的に固着しておく必要があるからである。
【０００４】
しかしながら、前記のように窓ガラスをはめ殺しで固着してしまうと、キャビン内のオペレーターは、キャビン外部の作業補助員等と会話することが難しく、キャビン外部の警報音等の音が聞き取りずらく、外部状況を把握しずらいとともに、キャビン内の換気（例えばエアコンのトラブル時において所要の通気性を確保すること等）が難しく、通気性や開放感を充分にえることができない、等の問題がある。
【０００５】
かかる問題を解消すべく、本発明の発明者等は、先に、下記特許文献１に所載のように、キャビンを画成するカバーパネルの側面窓用開口部に環状の剛性窓フレームが固着されるとともに、該窓フレームの内周側に可撓性連結材を介してサッシが連結固定され、該サッシに、スライド式で機体前後方向に開閉せしめられる窓ガラスが支持されてなるスピードスプレーヤ用キャビンの窓構造を提案した。
【０００６】
かかる窓構造は、より詳細には、前記サッシの内周に、外側溝と内側溝とが並設されており、前記外側溝に固定窓ガラスがはめ殺しで固着され、前記内側溝に可動窓ガラスが機体前後方向にスライド可能に支持されている。
【０００７】
従って、前記提案の窓構造によれば、キャビンの側面窓を開閉式とすることができ、そのため、可動窓ガラスを開ければ、キャビン外部と会話ができるとともに、外部状況を把握しやすくなり、通気性や開放感も充分に得ることができる。
【０００８】
また、下記特許文献２、３、４等には、スピードスプレーヤではないが、農用トラクター等の作業車両において、キャビンの側面窓を形成する窓ガラス（の一部又は全部）を開閉できるようにされた窓構造が開示されている。
【特許文献１】特願２００２−０４９５０８号の明細書・図面
【特許文献２】実公平５−６３７８号公報（第１〜３頁、図１〜図３）
【特許文献３】特開２００２−３１６６７１号公報（第１〜７頁、図１〜図１２）
【特許文献４】実開昭６０−９７２５号公報（第１〜２頁、図１〜図３）
【発明の開示】
【発明が解決しようとする課題】
【０００９】
しかしながら、前記従来の特許文献に記載の窓構造では、剛性窓フレーム等の強度補強部材や特殊構造のサッシ、あるいは、複雑な開閉機構を必要とするとともに、既存のキャビン（カバーパネル）に適用するには大幅な改造を必要とし、コストが高くついてしまうという問題があった。
【００１０】
本発明は、上述した如くの従来の問題を解消すべくなされたもので、その目的とするところは、側面窓を介してキャビン外部と会話ができるとともに、外部状況を把握しやすくでき、通気性や開放感も充分に得ることができ、しかも、剛性窓フレーム等の強度補強部材や特殊構造のサッシ、あるいは、複雑な開閉機構を必要とせず、既存のキャビンに低コストで容易に適用できるようにされたスピードスプレーヤ用キャビンの窓構造を提供することにある。
【課題を解決するための手段】
【００１１】
前記の目的を達成すべく、本発明に係るスピードスプレーヤ用キャビンの窓構造は、基本的には、キャビンを画成するカバーパネルの側面窓用開口部に固着された窓ガラスに、小窓用開口部が形成され、該小窓用開口部を開閉すべく開閉窓部材を有する開閉小窓が設けられていることを特徴としている。
【００１２】
前記開閉窓部材は、好ましくは、ヒンジ部材及び又は支持板を介して前記窓ガラスに回動自在に取り付けられる。
前記開閉小窓は、好ましい態様では、前記窓ガラスの外面側における前記小窓用開口部の端縁部周りを覆うように配在された枠状支持板と、該枠状支持板に取り付けられたヒンジ部材と、前記枠状支持板に前記ヒンジ部材を介して回動可能に取り付けられた前記開閉窓部材と、を備える。
【００１３】
他の好ましい態様では、前記ヒンジ部材の固定側半体又は前記支持板は、前記窓ガラスに、間に弾性緩衝部材を介してボルト・ナット類で締め付け固定され、また、前記ヒンジ部材の可動側半体は、前記開閉窓部材に、間に弾性緩衝部材を介してボルト・ナット類で締め付け固定される。
別の好ましい態様では、前記枠状支持板の内周端縁部全周又は前記小窓用開口部の開口端縁部全周に、前記開閉窓部材の内面側が圧接せしめられる、ゴム等からなる環状のパッキン材が配設される。
【発明の効果】
【００１４】
前記の如くの構成とされた本発明に係るスピードスプレーヤ用キャビンの窓構造においては、側面窓用開口部にはめ殺しで固着された窓ガラスに、開閉小窓が設けられるので、キャビン外部と容易に会話ができるとともに、外部状況を自分の耳でも把握し易くでき、通気性や開放感も充分に得ることができる。
【００１５】
それに加えて、剛性窓フレーム等の強度補強部材や特殊構造のサッシ、あるいは、複雑な開閉機構を必要としないので、キャビンを画成するカバーパネル等に改造を施す必要はなく、したがって、側面窓（はめ殺し固定窓ガラス）を有する既存のスピードスプレーヤ用キャビンに、低コストでかつ容易に開閉小窓を増設することができる。
【００１６】
また、前記ヒンジ部材の固定側半体又は前記支持板は、前記窓ガラスに、間に弾性緩衝部材を介してボルト・ナット類で締め付け固定され、また、前記ヒンジ部材の可動側半体は、前記開閉窓部材に、間に弾性緩衝部材を介してボルト・ナット類で締め付け固定されるので、ボルト・ナット類による前記ヒンジ部材の締め付け固定や前記開閉窓部材の開閉等に伴う前記窓ガラスに対する応力が緩和され、このため、前記窓ガラス及び前記開閉窓部材の破損、ひび割れ等を生じ難くできる。
【００１７】
さらに、前記枠状支持板の内周端縁部全周又は前記小窓用開口部の開口端縁部全周に、前記開閉窓部材の内面側が圧接せしめられる、ゴム等からなる環状のパッキン材が配設されることにより、前記開閉窓部材を閉めているときに前記小窓用開口部（前記開閉窓部材）周りに溜まった水滴等が、前記開閉窓部材を開けたときキャビン内に入り込むのを確実に防止できる。
【発明を実施するための最良の形態】
【００１８】
以下、本発明の実施の形態を図面を参照しながら説明する。
図１は、本発明に係る窓構造の第一実施形態が採用されたスピードスプレーヤの一例を示す左前方斜視図、図２は、図１に示されるスピードスプレーヤのキャビンに適用された窓構造を示す左側面要部拡大図である。
【００１９】
図示のスピードスプレーヤ１０は、車体前部に、運転席１４やステアリングハンドル１３等が配設されたキャビン１２が設けられるとともに、左右一対の前輪１１、１１が配設され、車体後部に左右一対の後輪１６、１６が四輪操舵自在に配設されている。前記キャビン１２は、樹木の枝に当たりにくくするため、上部が狭く下部が広い正面視台形状となるように、左右側面が内側に傾斜せしめられた構造となっており、後述する左側面窓３０を構成する窓枠３３や窓ガラス４０も内側に傾斜せしめられている。
【００２０】
前記キャビン１２の直後には、横倒し半円筒状の薬液タンク１５が設けられ、この薬液タンク１５の直後にエンジンルーム１７が形成され、該エンジンルーム１７の後方には、円筒状の風胴１８や吐風口１９等を備えた軸流送風ファン２０が配され、前記吐風口１９には前記風胴１８の周方向に沿って所要数の薬液噴霧ノズル（図示省略）が配在されている。前記キャビン１２内には、図示はされていないが、前記ノズルに薬液を圧送供給する薬液供給ポンプが配され、前記ノズルから外部に噴霧される薬液が、前記吐風口１９から外部に向けて吹き出される前記軸流送風ファン２０からの空気流により拡散され、それにより、果樹園等において作業者が前記キャビン１２内で前記ステアリングハンドル１３を操作しつつ走行しながら、薬液の散布作業を安全・快適に行うことができるようになっている。
【００２１】
前記キャビン１２は、その左側面窓構造以外は従来周知のものであって、ＦＲＰ製のカバーパネル３２で密閉状に画成されており、このカバーパネル３２における前面にはフロントガラス２３が取り付けられ、右側面には乗降用ドア（図示せず）が設けられ、左側面の上半部には側面視砲弾形状の側面窓用開口部３５が形成され、この側面窓用開口部３５に、本発明第一実施形態の窓構造を持つ左側面窓３０が設けられ、その下方には、はめ殺しの固定窓３４が設けられている。
【００２２】
前記左側面窓３０は、前記側面窓用開口部３５に固着された窓枠３３と、該窓枠３３にはめ殺しで固着された窓ガラス４０と、該窓ガラス４０の中央部やや後方寄りに形成された角丸付き矩形状の小窓用開口部４５を開閉すべく設けられた開閉小窓５０と、を備えている。
【００２３】
該開閉小窓５０は、図２に加えて図３、図４を参照すればよくわかるように、前記窓ガラス４０の外面側における前記小窓用開口部４５端縁部周りを覆うように配在された角丸付き矩形枠状の板金製又は合成樹脂製の枠状支持板５２と、該枠状支持板５２の前側縦辺部５２ａに取り付けられた上下一対のヒンジ部材５４、５４と、前記枠状支持板５２に前記ヒンジ部材５４、５４を介して回動可能に取り付けられた、透明な合成樹脂板又はガラス板からなる開閉窓部材６０と、を備えている。
【００２４】
より詳細には、前記枠状支持板５２は、ゴムシート製の下敷き板５３を介して前記窓ガラス４０に密着せしめられて、その四隅が十字溝付きボルト５６・袋付きナット５７で締め付け固定されている。この場合、前記ボルト５６・ナット５７による締め付け固定や前記開閉窓部材６０の開閉等に伴う前記窓ガラス４０に対する応力を緩和するため、図５に示される如くに、前記ボルト５６・ナット５７と前記窓ガラス４０との間には、鍔付きスリーブ状のゴム等からなる弾性緩衝部材６１と、その押さえ部材６２とが介装されている。また、前記枠状支持板５２の内周端縁部全周には、断面Ｕ字状の弾性材料からなる縁当てトリム６５が装着されるとともに、該縁当てトリム６５の外面側には、前記開閉窓部材６０の内面側が圧接せしめられる、チューブ状のゴム等からなる環状のパッキン材６７が接着固定されている。
【００２５】
また、前記ヒンジ部材５４は、前記枠状支持板５２の前側縦辺部５２ａに溶接等により保持固定された断面Ｌ字形の固定側半体５４ａと、該固定側半体５４ａに保持されたピン５４ｂと、該ピン５４ｂに回動自在に支持された可動側半体５４ｃと、からなっている。該ヒンジ部材５４の可動側半体５４ｃと前記開閉窓部材６０とは、該開閉窓部材６０に加わる応力を緩和するため、間に鍔付きスリーブ状のゴム等からなる弾性緩衝部材７３を挟んでボルト７１・ナット７２により締め付け固定されている。
【００２６】
前記に加え、果樹園走行作業時等において、枝や葉が前記ヒンジ部材５４等に引っ掛かったり、前記開閉窓部材６０と前記窓ガラス４０との間に入り込んだりするのを防止すべく、前記上下一対のヒンジ部材５４、５４間を橋絡するように邪魔板５９が前記枠状支持板５２の前端部に溶接等により固定されている。
【００２７】
一方、前記開閉窓部材６０の後端側（反ヒンジ側）には、前記開閉窓部材６０を閉状態でロックするためのロックレバー７０がレバー支持部材７０Ａを介して回動自在に取り付けられている。前記レバー支持部材７０Ａと前記開閉窓部材６０とは、該開閉窓部材６０に対する応力を緩和するため、間に鍔付きスリーブ状のゴム等からなる弾性緩衝部材７８を挟んでボルト７６・ナット７７により締め付け固定されている。また、前記枠状支持板５２の後側縦辺部５２ｂの中央付近には、前記ロックレバー７０の掛止部７０ａを係止するための係止板７５がスペーサ６９を介して取付固定されている。
【００２８】
前記開閉窓部材６０を閉じ、前記ロックレバー７０を回してその掛止部７０ａを前記係止板７５に引っ掛けた状態（図４に実線で示される状態）では、前記開閉窓部材６０が前記パッキン６７に圧接して、前記小窓用開口部４５が完全に封止されるとともに、この状態では前記開閉窓部材６０を外部から開けられないようになっている。
【００２９】
このような構成とされた本実施形態の窓構造においては、カバーパネル３２に形成された側面窓用開口部３５にはめ殺しで固着された窓ガラス４０に、開閉小窓５０が設けられるので、キャビン外部と容易に会話ができるとともに、外部状況を自分の耳でも把握し易くでき、通気性や開放感も充分に得ることができる。
【００３０】
それに加えて、従来のように、キャビンを画成するカバーパネルの側面窓用開口部に環状の剛性窓フレーム等の強度補強部材や特殊構造のサッシ、あるいは、複雑な開閉機構を設けなくて済むので、前記カバーパネル等に改造を施す必要はなく、したがって、側面窓（はめ殺し固定窓ガラス）を有する既存のスピードスプレーヤ用キャビンに、低コストでかつ容易に開閉小窓を増設することができる。
【００３１】
また、前記開閉窓部材６０を前記ヒンジ部材５４を介して開閉自在に支持する枠状支持板５２が弾性緩衝部材６１、６１を介して前記窓ガラス４０に固定されているので、前記ボルト５６・ナット５７による締め付け固定や前記開閉窓部材６０の開閉等に伴う前記窓ガラス４０に対する応力が緩和され、前記窓ガラス４０の破損、ひび割れ等を生じ難くできる。同様に、前記開閉窓部材６０と前記ヒンジ部材５４（の可動側半体５４ｃ）及び前記ロックレバー７０（のレバー支持部材７０Ａ）との間にも、弾性緩衝部材７３、７８が介装されているので、前記開閉窓部材６０に対する応力も緩和され、該開閉窓部材６０のの破損、ひび割れ等を生じがたくできる。また、前記枠状支持板５２は、矩形枠状とされてその剛性が高められるとともに、前記小窓用開口部４５の開口端縁部全周を覆っているので、これによっても、前記窓ガラス４０の破損防止効果が一層高められる。
【００３２】
さらに、前記枠状支持板５２の内周端縁部全周には、断面Ｕ字状の弾性材料からなる縁当てトリム６５が装着されるとともに、該縁当てトリム６５の外面側に、チューブ状とされたゴム等からなる環状のパッキン材６７が接着固定されているので、前記開閉窓部材６０を閉めているときに前記小窓用開口部４５（前記開閉窓部材６０）周りに溜まった水滴等が、前記開閉窓部材６０を開けたときキャビン１２内に入り込むのを確実に防止できる。
【００３３】
図６、図７は、本発明に係る窓構造の第二実施形態を示している。なお、この第二実施形態の窓構造において、図１〜図５に示される第一実施形態の窓構造の各部に対応する部分には同一の符号を付して重複説明を省略し、以下においては相違点を重点的に説明する。図示第二実施形態の窓構造においても、前記窓ガラス４０に開閉小窓５０’が設けられ、該開閉小窓５０’の取着には、前記枠状支持板５２に代えて、ヒンジ支持板８２、８２が用いられている。すなわち、前記ヒンジ支持板８２は、前記実施形態の枠状支持板５２の前側縦辺部５２ａに相当するもので、ゴムシート製の下敷き板８３を介して前記窓ガラス４０に密着せしめられて、その複数箇所がボルト８６・ナット８７で締め付け固定されている。この場合、前記ボルト８６・ナット８７による締め付け固定や開閉窓部材６０’の開閉等に伴う前記窓ガラス４０に対する応力を緩和するため、前記ボルト８６・ナット８７と前記窓ガラス４０との間には、鍔付きスリーブ状のゴム等からなる弾性緩衝部材９１とその押さえ部材９２とが介装されている。また、前記窓ガラス４０に形成された前記小窓用開口部４５の端縁部全周には、断面Ｕ字状の弾性材料からなる縁当てトリム６５’が装着されるとともに、該縁当てトリム６５’の外面側には、前記開閉窓部材６０の内面側が圧接せしめられる、チューブ状のゴム等からなる環状のパッキン材６７’が接着固定されている。
【００３４】
そして、前記ヒンジ支持板８２、８２には、ヒンジ部材５４’を介して前記開閉窓部材６０’が回動自在に取り付けられている。前記ヒンジ部材５４’は、前記ヒンジ支持板８２に前記ボルト８６・ナット８７で共締め固定された断面Ｌ字形の固定側半体５４ａ’と、該固定側半体５４ａ’に保持されたピン５４ｂ’と、該ピン５４ｂ’に回動自在に支持された可動側半体５４ｃ’と、からなっている。前記ヒンジ部材５４’の前記可動側半体５４ｃ’と前記開閉窓部材６０’とは、該開閉窓部材６０’に対する応力を緩和するため、間に鍔付きスリーブ状のゴム等からなる弾性緩衝部材７３を挟んでボルト７１・ナット７２により締め付け固定されている。
【００３５】
一方、前記開閉窓部材６０’の後端側（反ヒンジ側）には、前記開閉窓部材６０’を閉状態でロックするためのロックレバー７０がレバー支持部材７０Ａを介して回動自在に取り付けられている。前記レバー支持部材７０Ａと前記開閉窓部材６０’とは、該開閉窓部材６０’に加わる応力を緩和するため、間に鍔付きスリーブ状のゴム等からなる弾性緩衝部材７８を挟んでボルト７６・ナット７７により締め付け固定されている。また、前記ロックレバー７０の掛止部７０ａを係止するための係止板７５’は、間に鍔付きスリーブ状のゴム等からなる弾性緩衝部材９８を挟んでボルト９６・ナット９７により締め付け固定されている。
【００３６】
前記に加え、本実施形態では、果樹園走行作業時等において、枝や葉が前記ヒンジ部材５４’等に引っ掛かったり、前記開閉窓部材６０’と前記窓ガラス４０との間に入り込んだりするのを防止すべく、前記上下一対のヒンジ部材５４’、５４’を含む前記開閉小窓５０’全体の前面を覆うように、前方傾斜のカバーガイド９９が設けられている。
【００３７】
このような構成とされた本第二実施形態の窓構造においても、前記第一実施形態と略同様な作用効果が得られる。特に、本実施形態では、前記枠状支持板５２に代えて単純なヒンジ支持板８２を用いているので、コスト的に有利である。なお、前記ヒンジ部材５４’の前記固定側半体５４ａ’を前記ヒンジ支持板８２を介することなく直接前記窓ガラス４０に取り付けるようにしてもよく、この場合は一層簡素となる。
【００３８】
以上、本発明の実施形態について詳述したが、本発明は、前記実施形態に限定されるものではなく、特許請求の範囲に記載された発明の精神を逸脱しない範囲で、設計において、種々の変更ができるものである。
【産業上の利用可能性】
【００３９】
以上の説明から理解されるように、本発明のスピードスプレーヤ用キャビンの窓構造では、側面窓を介してキャビン外部と容易に会話ができるとともに、外部状況を自分の耳でも把握しやすくでき、通気性や開放感も充分に得ることができ、しかも、剛性窓フレーム等の強度補強部材や特殊構造のサッシ、あるいは、複雑な開閉機構を必要とせず、既存のキャビンに低コストで容易に適用できる。
【図面の簡単な説明】
【００４０】
【図１】本発明に係る窓構造の一実施形態が適用されたスピードスプレーヤの一例を示す左前方斜視図。
【図２】図１のスピードスプレーヤに適用された窓構造を示す左側面要部拡大図。
【図３】図１、図２に示される左側面窓に設けられた開閉小窓を開いた状態で示す拡大斜視図。
【図４】図２のＩＶ−ＩＶ矢視断面図。
【図５】図２のＶ−Ｖ矢視断面図。
【図６】図１のスピードスプレーヤに適用された第二実施形態の窓構造を示す左側面要部拡大図。
【図７】図６のＶＩＩ−ＶＩＩ矢視断面図。
【符号の説明】
【００４１】
１０      スピードスプレーヤ
１２      キャビン
３２      カバーパネル
３５      側面窓用開口部
４０      窓ガラス
４５      小窓用開口部
５０      開閉小窓
５４、５４’      ヒンジ部材
５４ａ、５４ａ’  固定側半体
５４ｃ、５４ｃ’  可動側半体
５２      枠状支持板
５６、７１、８６  ボルト
５７、７２、８７  ナット
６０      開閉窓部材
６１、７３、９１  弾性緩衝部材
６７、６７’      パッキン材
８２      ヒンジ支持板
【図１】
2005059728.tif 000003
【図２】
2005059728.tif 000004
【図３】
2005059728.tif 000005
【図４】
2005059728.tif 000006
【図５】
2005059728.tif 000007
【図６】
2005059728.tif 000008
【図７】
2005059728.tif 000009